(57)【特許請求の範囲】
【請求項１】
鍵盤シャーシと、この鍵盤シャーシ上に並列に配列されて上下方向に回動する複数の鍵と、前記鍵盤シャーシに設けられて前記複数の鍵をそれぞれ上下方向にガイドする複数の鍵ガイドと、前記鍵の通常の押鍵後に更に該鍵が押し込まれた力を検出するアフターセンサとを備え、このアフターセンサで検出した検出信号に基づいて音響効果を付加する鍵盤装置において、
前記鍵ガイドと前記鍵との一方における上部側に設けられ、押離鍵ストロークでの可動範囲に対応する他方の凹凸のない平面上を摺動することにより、鍵を上下方向に相対的にガイドする弾性変形不可能な非弾性ガイド突起部と、前記一方における下部側に設けられ、押離鍵ストロークでの可動範囲に対応する他方の凹凸のない平面上を摺動することにより、鍵を上下方向に相対的にガイドする弾性変形可能な弾性ガイド突起部とからなるローリング用機構を備えたことを特徴とする鍵盤装置。
【請求項２】
鍵盤シャーシと、この鍵盤シャーシ上に並列に配列されて上下方向に回動する複数の鍵と、前記鍵盤シャーシに設けられて前記複数の鍵をそれぞれ上下方向にガイドする複数の鍵ガイドと、前記鍵の通常の押鍵後に更に該鍵が押し込まれた力を検出するアフターセンサとを備え、このアフターセンサで検出した検出信号に基づいて音響効果を付加する鍵盤装置において、
前記鍵の内側における押離鍵ストロークでの可動範囲に対応する凹凸のない平面上を摺動する前記鍵ガイドを、弾性変形部によって鍵のローリング方向へ変位可能なように鍵盤シャーシに連結することを特徴とする鍵盤装置。
【発明の詳細な説明】
【０００１】
【発明の属する技術分野】
この発明は、電子ピアノなどの電子鍵盤楽器における鍵盤装置に関する。
【０００２】
【従来の技術】
従来、電子ピアノなどの電子鍵盤楽器においては、通常の押鍵後、更に鍵を押し込む力に応じ、音高や音色、音量などを変化させ、発音中の音に各種の効果を付加し、音の表現力を高めるアフタータッチ機能を有するものがある。
この種の電子鍵盤楽器は、鍵盤シャーシと、この鍵盤シャーシ上に上下方向に回動可能に配置された複数の鍵と、これら複数の鍵にそれぞれ対応して鍵盤シャーシに設けられたスイッチ部材と、鍵盤シャーシ上に設けられて各鍵の押し込み力を検出するアフタータッチ用の感圧センサとを備えている。
【０００３】
このような電子鍵盤楽器では、鍵を押鍵すると、鍵に設けられたスイッチ押圧部がスイッチ部材を押圧してスイッチ動作させ、これにより押鍵された鍵に対応する音を発生させ、この状態で更に鍵が押し込まれると、その鍵によって感圧センサが押圧されて鍵の押し込み力を検出し、この検出信号に基づいて発音中の音に音高や音色、音量などを変化させる各種の効果を付与している。
このため、この電子鍵盤楽器では、図１７に示すように、押鍵時に鍵５１の横振れを防ぐための鍵ガイド５２が各鍵５１に対応して鍵盤シャーシ５３に設けられている。すなわち、鍵ガイド５２は、中空状の鍵５１内に挿入され、その両端部が鍵２の内面に接触可能に僅かな隙間Ｓをもって、鍵５１を上下方向に円滑にガイドするように構成されている。
【０００４】
【発明が解決しようとする課題】
ところで、このような電子鍵盤楽器では、通常の押鍵後に更に鍵５１を押し込んでアフタータッチ用の感圧センサを押圧するときに、押し込んだ鍵５１をローリングさせて感圧センサを押圧するアフタータッチ、つまり鍵５１を左右方向（図１７に矢印Ｘ方向）に傾かせて感圧センサを押圧するアフタータッチ方法がある。
しかしながら、このようなアフタータッチを行う場合には、鍵５１と鍵ガイド５２との隙間Ｓが狭いと、鍵５１のローリング角度（つまり鍵５１の傾き角度）が小さくなり、鍵５１を十分にローリングさせることができないという問題がある。なお、このような問題を防ぐため、鍵５１と鍵ガイド５２との隙間Ｓを広くすると、図１８に示すように、通常の押鍵操作範囲で鍵５１が横振れしやすくなり、隣接する鍵５１同士が互いに当接するという問題が生じる。
【０００５】
この発明の課題は、通常の押鍵操作範囲で鍵が横振れしないようにガイドし、かつ押し込まれた鍵を良好にローリングさせることができるようにすることである。
【０００８】
【課題を解決するための手段】
請求項１に記載の発明は、鍵盤シャーシと、この鍵盤シャーシ上に並列に配列されて上下方向に回動する複数の鍵と、前記鍵盤シャーシに設けられて前記複数の鍵をそれぞれ上下方向にガイドする複数の鍵ガイドと、前記鍵の通常の押鍵後に更に該鍵が押し込まれた力を検出するアフターセンサとを備え、このアフターセンサで検出した検出信号に基づいて音響効果を付加する鍵盤装置において、前記鍵ガイドと前記鍵との一方における上部側に設けられ、押離鍵ストロークでの可動範囲に対応する他方の凹凸のない平面上を摺動することにより、鍵を上下方向に相対的にガイドする弾性変形不可能な非弾性ガイド突起部と、前記一方における下部側に設けられ、押離鍵ストロークでの可動範囲に対応する他方の凹凸のない平面上を摺動することにより、鍵を上下方向に相対的にガイドする弾性変形可能な弾性ガイド突起部とからなるローリング用機構を備えたことを特徴とする。
この発明によれば、通常の押鍵操作範囲では非弾性ガイド突起部および弾性ガイド突起部によって鍵を上下方向に相対的にガイドすることができ、また通常の押鍵後に更に該鍵が押し込まれたときには、下部側の弾性ガイド突起部が弾性変形可能であるから、上部側の非弾性ガイド突起部を支点として、鍵を良好にローリングさせることができる。
【００１０】
請求項２に記載の発明は、鍵盤シャーシと、この鍵盤シャーシ上に並列に配列されて上下方向に回動する複数の鍵と、前記鍵盤シャーシに設けられて前記複数の鍵をそれぞれ上下方向にガイドする複数の鍵ガイドと、前記鍵の通常の押鍵後に更に該鍵が押し込まれた力を検出するアフターセンサとを備え、このアフターセンサで検出した検出信号に基づいて音響効果を付加する鍵盤装置において、前記鍵の内側における押離鍵ストロークでの可動範囲に対応する凹凸のない平面上を摺動する前記鍵ガイドを、弾性変形部によって鍵のローリング方向へ変位可能なように鍵盤シャーシに連結することを特徴とする。
この発明によれば、通常の押鍵操作範囲では鍵ガイドによって鍵をガイドすることができ、また通常の押鍵後に更に該鍵が押し込まれたときには、弾性変形部が鍵のローリング方向に弾性変形可能であるから、鍵を良好にローリングさせることができる。
【００１１】
【発明の実施の形態】
［第１実施形態］
以下、図１〜図７を参照して、この発明の鍵盤装置の第１実施形態について説明する。
この鍵盤装置は、図１〜図４に示すように、楽器ケース内に組み込まれる合成樹脂製の鍵盤シャーシ１と、この鍵盤シャーシ１上に上下方向に回動可能に取り付けられた合成樹脂製の複数の鍵２と、これら複数の鍵２の押鍵動作に応じてそれぞれスイッチ動作してオン信号を出力するスイッチ部材３と、各鍵２の通常の押鍵後に更に鍵２が押し込まれたときにその押し込み力を検出するアフタータッチ用の感圧センサ４と、押鍵操作時に各鍵２の横振れを防ぐ鍵ガイド５とを備えている。
【００１２】
複数の鍵２は、図１および図２に示すように、白鍵２ａと黒鍵２ｂとからなり、これらが鍵盤シャーシ１上に並列に配置されている。この場合、黒鍵２ｂは、白鍵２ａの長さよりも短く、かつ白鍵２ａの高さよりも高く形成されており、これ以外は白鍵２ａとほぼ同じ構造になっている。このため、以下の説明では白鍵２ａを鍵２として述べる。これら複数の鍵２は、図３に示すように、それぞれ後端部（同図では右端部）に薄肉部６が形成され、これら各薄肉部６の後端部が鍵２の配列方向に沿う共通の連結部７に並列に配置された状態で一体に連結形成されている。これら複数の鍵２は、連結部７が鍵盤シャーシ１の後部上に鍵２の配列方向に沿って設けられた取付部８上に取り付けられ、押鍵時に薄肉部６をヒンジとして各鍵２が上下方向に回動し、各鍵２のほぼ中間部に形成された２つのスイッチ押圧部８がスイッチ部材３を押圧するように構成されている。
【００１３】
この場合、各鍵２は、薄肉部６の弾性復帰力および後述するスイッチ部材３の膨出ゴム９の弾性復帰力によって上方に付勢され、これにより通常は図３に示すように、各鍵２の前部側（同図では右部側）に垂設されたＬ字状の一対のストッパ片１０が鍵盤シャーシ１の前端部の下面に設けられたフェルトなどからなる上限ストッパ１１に当接することにより、所定の初期位置（上限位置）に位置規制されている。また、各鍵２は、押鍵時に薄肉部６を中心に図３において反時計回りに回動して、図４に示すように、２つのスイッチ押圧部８がスイッチ部材３を押圧した後、一対のストッパ片１０の近傍に位置する鍵２の下端部が鍵盤シャーシ１の前部側の上部に設けられた後述するアフタータッチ用の感圧センサ４に当接することにより、所定の下限位置に位置規制されている。
【００１４】
スイッチ部材３は、図３に示すように、膨出ゴム９とスイッチ基板１２とからなり、鍵盤シャーシ１のほぼ中間部分における下面に配置されている。膨出ゴム９は、鍵２の配列方向に連続する帯状のゴムシートにドーム状の膨出部が２列に形成され、これら２組の膨出部が各鍵２の２つのスイッチ押圧部８にそれぞれ対応した状態で、鍵盤シャーシ１の各貫通孔内に下側から挿入されて上方に突出している。スイッチ基板１２は、膨出ゴム９を介して鍵盤シャーシ１の下面に取り付けられている。これにより、スイッチ部材３は、押鍵動作に応じて膨出ゴムの２組の膨出部がそれぞれ２つのスイッチ押圧部８により時間差をもって順次押圧されたときに、図４に示すように、各膨出部が順次弾性変形してその内部に設けられた可動接点がスイッチ基板１２に設けられた固定接点に順次接触し、これによりスイッチ信号を出力するように構成されている。
【００１５】
また、アフタータッチ用の感圧センサ４は、鍵盤シャーシ１の上面に各鍵２の配列方向に沿って設けられ、鍵２が押鍵されて膨出ゴム９の各膨出部がスイッチ押圧部８でそれぞれ押圧された後、更に鍵２が押し込まれたときに、その鍵２の押し込み力を検出するように構成されている。すなわち、この感圧センサ４は、図示しないが、上面に電極が設けられた基板上にスペーサを介して可撓性を有するセンサシートを設け、このセンサシートが鍵２の下端部で押圧されると、その押圧力に応じてセンサシートが撓み、このセンサシートの下面に設けられた感圧層が電極部に接触し、その接触面積と接触圧力の大きさに応じて電気抵抗値が変化し、この電気抵抗値に応じた検出信号を出力するように構成されている。例えば、鍵２による押圧力が弱いと、電極部に対する感圧層の接触面積および接触圧力が小さく、電気抵抗値が高くなり、逆に鍵２による押圧力が強いと、電極部に対する感圧層の接触面積および接触圧力が大きく、電気抵抗値が低くなる。
【００１６】
一方、鍵ガイド５は、各鍵２のストッパ片１０にそれぞれ対応して鍵盤シャーシ１に一体に形成されている。これら鍵ガイド５は、中空状の鍵２内における一対のストッパ片１０間の個所に挿入して鍵２を上下方向にガイドすると共に、鍵２の通常の押鍵後に更に鍵２が押し込まれたときに、図７（ａ）および図７（ｂ）に示すように、鍵２をローリング可能な状態、つまり鍵２を左右に傾けることが可能な状態にするローリング機能を備えている。
【００１７】
このローリング機能は、図６（ａ）〜図６（ｃ）に示すように、鍵ガイド５の左右の両端面における上下部にそれぞれ設けられたガイド突起部１３、１４と、図５および図６（ａ）に示すように、鍵２のストッパ片１０の内面におけるほぼ中間部分に設けられた逃がし凹部１５とからなっている。ガイド突起部１３、１４は、それぞれ半球状に突出して形成され、鍵２の一対のストッパ片１０の各内面に点接触し、この状態で上下方向に相対的に摺動するように構成されている。逃がし凹部１５は、半球状に凹んで形成され、鍵２の通常の押鍵後に更に鍵２が押し込まれてアフタータッチ用の感圧センサ４を押圧するときに、図６（ｃ）に示すように、下部側のガイド突起部１４が挿入可能に対応するように構成されている。
【００１８】
このような鍵盤装置では、押鍵しない状態のときに、図３に示すように、スイッチ部材３の２組の膨出部の弾性復帰力および鍵２の薄肉部６の弾性復帰力によって鍵２が押し上げられ、鍵２の一対のストッパ片１０が鍵盤シャーシ１の上限ストッパ１１に当接し、これにより鍵２が初期位置（上限位置）に位置規制されている。このときには、図６（ａ）に示すように、鍵ガイド５の上下部のガイド突起部１３、１４のうち、上部側のガイド突起部１３が鍵２のストッパ片１０のほぼ中間部分に位置する個所の内面に接触し、下部側のガイド突起部１４が逃がし凹部１５に対応することなく、ストッパ片１０の下部側に位置する個所の内面に接触している。これにより、鍵２が横振れしないように保持されている。
【００１９】
この状態で、膨出ゴム９の２組の膨出部の弾性復帰力および薄肉部６の弾性復帰力に抗して、鍵２を押鍵すると、図４に示すように、鍵２の後端部の薄肉部６をヒンジとして鍵２が下方に回動し、この鍵２の各スイッチ押圧部８がスイッチ部材３の各膨出部を順次弾性変形させて可動接点を固定接点に順次接触させ、これによりスイッチ部材３がスイッチ信号を出力し、押鍵された鍵２に応じた音を発音する。このときには、鍵ガイド５に設けられたガイド突起部１３、１４に鍵２の一対のストッパ片１０の各内面が接触した状態で、図６（ｂ）に示すように、鍵２がガイドされるので、鍵２が横振れすることなく下方に向けて移動する。
【００２０】
この後、更に鍵２が押し込まれると、鍵２の下端部がアフタータッチ用の感圧センサ４を押圧する。このときには、図６（ｃ）に示すように、鍵ガイド５の上部側のガイド突起部１３が一対のストッパ片１０の各内面に接触して鍵２をガイドするが、鍵ガイド５の下部側のガイド突起部１４は、一対のストッパ片１０の各内面に設けられた逃がし凹部１５がそれぞれ対応するので、鍵２がローリング可能な状態になる。このため、鍵２を押し込んだ状態で、図７（ａ）および図７（ｂ）に示すように、鍵２を左右に傾けると、上部側のガイド突起部１３を支点として、下部側のガイド突起部１４のうち、一方のガイド突起部１４がこれに対応するストッパ片１０の逃がし凹部１５に挿入し、他方のストッパ片１０の逃がし凹部１５が他方のガイド突起部１４から離間するので、鍵２をローリングさせることができる。
【００２１】
このように、この鍵盤楽器では、通常の押鍵操作範囲では鍵ガイド５のガイド突起部１３、１４によって鍵２が横振れすることなく円滑に鍵２を上下方向にガイドすることができる。また、通常の押鍵後に更に鍵２が押し込まれたときには、下部側のガイド突起部１４にストッパ片１０の逃がし凹部１５が対応するので、鍵２をローリング可能な状態にすることができ、これにより鍵２を良好にローリングさせることができる。これにより、感圧センサ４が鍵２のローリングに伴う押圧力（鍵２のローリングに伴う押し込み力）に応じた電気信号を出力するので、この電気信号に基づいて、発音中の音に、音高や音色、音量などを変化させる各種の効果を付与し、音の表現力を高めることができる。
【００２２】
なお、上記第１実施形態では、鍵ガイド５の両端部にガイド突起部１３、１４を設け、鍵２の一対のストッパ片１０の各内面に逃がし凹部１５を設けたが、これに限らず、例えば、鍵２の一対のストッパ片１０の各内面にガイド突起部１３、１４を設け、鍵ガイド５の両端部に逃がし凹部１５を設けた構造も良い。このような構造でも、第１実施形態と同様の作用効果が得られる。
また、上記第１実施形態では、逃がし部として、鍵２の一対のストッパ片１０の各内面にそれぞれ半球状の逃がし凹部１５を設けたが、これに限らず、例えば図８に示すように、一対のストッパ片１０にそれぞれ、鍵２の通常の押鍵後に更に鍵２が押し込まれてアフタータッチ用の感圧センサ４を押圧するときに下部側のガイド突起部１４が挿入可能に対応する切欠部１６を逃がし部として設けた構成でも良い。このような構造でも、第１実施形態と同様の作用効果が得られる。
【００２３】
［第２実施形態］
次に、図９および図１０を参照して、この発明の鍵盤装置の第２実施形態について説明する。なお、図１〜図７に示された第１実施形態と同一構成要素には同一符号を付して説明する。
この鍵盤装置は、鍵２のローリング機構が第１実施形態と異なり、これ以外は第１実施形態とほぼ同じ構造になっている。
すなわち、このローリング機構は、図９（ａ）〜図９（ｃ）に示すように、鍵ガイド５の両端面における上部にガイド突起部２０がそれぞれ設けられ、鍵ガイド５の両端面における下部に弾性変形可能な弾性ガイド突起部２１がそれぞれ設けられた構造になっている。
【００２４】
この場合、上部側の各ガイド突起部２０は、第１実施形態と同様、鍵２の一対のストッパ片１０の各内面に接触しながら変形することなく上下方向に相対的に摺動するように構成されている。また、下部側の各弾性ガイド突起部２１は、図９（ａ）〜図９（ｃ）に示すように、鍵ガイド５の両側部に上下方向に細長い中空部を形成することにより弾性変形可能な弾性部２２がそれぞれ形成され、これら弾性部２２の外部側の中間部分に突起２３がそれぞれ設けられ、これら突起２３が各弾性部２２の弾性力によって鍵２の一対のストッパ片１０の各内面に弾接し、この状態で鍵２が上下方向に相対的に摺動し、図１０（ａ）および図１０（ｂ）に示すように、押し込まれた鍵２を左右に傾けると、一対のストッパ片１０の各内面のいずれかに押圧されて弾性部２２が弾性変形するように構成されている。
【００２５】
このような鍵盤装置では、押鍵しない状態のときに、第１実施形態と同様、鍵２が押し上げられて鍵２の一対のストッパ片１０が鍵盤シャーシ１の上限ストッパ１１に当接し、これにより鍵２が初期位置（上限位置）に位置規制されている。このときには、図９（ａ）に示すように、鍵ガイド５の上部側の各ガイド突起部２０が鍵２の一対のストッパ片１０におけるほぼ中間部分に位置する個所の各内面に接触し、下部側の各弾性ガイド突起部２１が一対のストッパ片１０の下部側に位置する個所の各内面に弾接し、これにより鍵２が横振れしないように保持されている。
【００２６】
この状態で、鍵２を押鍵すると、第１実施形態と同様、鍵２の後端部の薄肉部６をヒンジとして鍵２が下方に回動し、この鍵２の各スイッチ押圧部８がスイッチ部材３の各膨出部を押圧し、この押圧されたスイッチ部材３からスイッチ信号を出力し、このスイッチ信号に基づいて押鍵された鍵２に応じた音を発音する。このときには、図９（ｂ）に示すように、鍵ガイド５の両端部に設けられた各ガイド突起部２０および各弾性ガイド突起部２１が鍵２の一対のストッパ片１０の各内面に接触した状態で、鍵２が横振れすることなくガイドされながら下方に向けて移動する。
【００２７】
この後、更に鍵２が押し込まれると、鍵２の下端部がアフタータッチ用の感圧センサ４を押圧する。このときには、図９（ｃ）に示すように、鍵ガイド５の上部側の各ガイド突起部２０は変形することなく鍵２の一対のストッパ片１０の各内面に接触して鍵２をガイドするが、鍵ガイド５の下部側の各弾性ガイド突起部２１は、各弾性部２２の弾性力によって各突起２３が一対のストッパ片１０の各内面に弾接しているので、各弾性部２２が弾性変形することにより鍵２がローリング可能な状態になっている。このため、鍵２を押し込んだ状態で、図１０（ａ）および図１０（ｂ）に示すように、鍵２を左右に傾けると、上部側の各ガイド突起部２０を支点として、下部側の一方の弾性ガイド突起部２１がこれに対応するストッパ片１０で押されて弾性変形し、他方のストッパ片１０が他方の弾性ガイド突起部２１から離間するので、鍵２をローリングさせることができる。
【００２８】
このように、この鍵盤装置によれば、鍵ガイド５の両端部における上部側に各ガイド突起部２０を設け、鍵ガイド５の両端部における下部側に弾性変形可能な各弾性ガイド突起部２１を設けたので、通常の押鍵操作範囲では鍵ガイド５の上下部の各ガイド突起部２０および各弾性ガイド突起部２１によって鍵２が横振れすることなく円滑に鍵２を上下方向にガイドすることができ、また通常の押鍵後に更に鍵２が押し込まれたときには、下部側に位置する各弾性ガイド突起部２１が弾性変形可能であるから、鍵２を左右に傾けて一方の弾性ガイド突起部２１を弾性変形させることにより、鍵２をローリングさせることができる。これにより、感圧センサ４が鍵２のローリングに伴う押圧力（鍵２のローリングに伴う押し込み力）に応じた電気信号を出力するので、この電気信号に基づいて、発音中の音に、音高や音色、音量などを変化させる各種の効果を付与し、音の表現力を高めることができる。
【００２９】
なお、上記第２実施形態では、鍵ガイド５の両端部の上部側に各ガイド突起部２０を設け、その下部側に各弾性ガイド突起部２１を設けたが、これに限らず、例えば、鍵２の一対のストッパ片１０の各内面における中間部分に各ガイド突起部２０を設け、一対のストッパ片１０の各内面における下部側に各弾性ガイド突起部２１を設けた構造も良い。このような構造でも、第２実施形態と同様の作用効果が得られる。
【００３０】
［第３実施形態］
次に、図１１を参照して、この発明の鍵盤装置の第３実施形態について説明する。この場合には、図９および図１０に示された第２実施形態と同一構成要素に同一符号を付して説明する。
この鍵盤装置は、鍵２を上下方向にガイドする鍵ガイド２５および鍵２のローリング機構が第２実施形態と異なり、これ以外は第２実施形態とほぼ同じ構造になっている。すなわち、鍵ガイド２５は、連結部２６を介して鍵盤シャーシ１に一体に形成され、その下端部にローリング機構が設けられている。このローリング機構は、鍵ガイド２５の下端部の両側に弾性変位可能な一対の弾性ガイド部２７を一体に形成した構造になっている。これら一対の弾性ガイド部２７は、鍵ガイド２５の下端面に垂下されて鍵２の左右方向に向けて弾性変形可能な弾性変形部２８と、この弾性変形部２８の下部に形成されて鍵２の内面（一対のストッパ片１０の各内面）に弾接して摺動するガイド部２９とからなり、各弾性変形部２８が弾性変形してガイド部２９を左右に変位させるように構成されている。
【００３１】
このような鍵盤装置では、鍵２をガイドする鍵ガイド２５の下端部に一対の弾性ガイド部２７を形成したので、第２実施形態と同様、通常の押鍵操作範囲では鍵ガイド２５および一対の弾性ガイド部２７によって鍵２が横振れすることなく円滑に鍵２を上下方向にガイドすることができる。また、通常の押鍵後に更に鍵２が押し込まれたときには、一対の弾性ガイド部２７の各弾性変形部２８が弾性変形可能であるから、鍵２を左右に傾けて各弾性変形部２８を弾性変形させることにより、鍵２をローリングさせることができる。これによっても、感圧センサ４が鍵２のローリングに伴う押圧力に応じた電気信号を出力するので、この電気信号に基づいて、発音中の音に、音高や音色、音量などを変化させる各種の効果を付与し、音の表現力を高めることができる。
【００３２】
なお、上記第３実施形態では、鍵ガイド２５の下端部の両側に一対の弾性ガイド部２７を設けたが、これに限らず、例えば図１２に示すように、鍵２の内部における上部側を上下方向にガイドする上部ガイド部３０と、鍵２の内部における下部側を上下方向にガイドする下部ガイド部３１と、上部ガイド部３０と下部ガイド部との間に形成されて鍵２の左右方向に向けて弾性する弾性変形部３２とからなり、上部ガイド部３０が連結部２６を介して鍵盤シャーシ１に固定された構造でも良い。このよう構造でも、鍵２が押し込まれたときに、弾性変形部３２が弾性変形可能であるから、鍵２を左右に傾けて弾性変形部３２を弾性変形させることにより、第２実施形態と同様、鍵２をローリングさせることができる。
【００３３】
［第４実施形態］
次に、図１３を参照して、この発明の鍵盤装置の第４実施形態について説明する。この場合には、図１〜図７に示された第１実施形態と同一構成要素に同一符号を付して説明する。
この鍵盤装置は、鍵２のローリング機構が第１実施形態と異なり、これ以外は第１実施形態とほぼ同じ構造になっている。すなわち、このローリング機構は、図１３に示すように、鍵盤シャーシ１に鍵ガイド５を弾性変形可能な薄肉部３５を介して一体に連結形成した構造になっている。この薄肉部３５は、肉厚の薄い平板状をなし、鍵盤シャーシ１にほぼ水平に形成され、この状態で捩じれる方向に弾性変形するように構成されている。この場合、鍵ガイド５は、鍵２の内面に僅かな隙間を有して挿入し、鍵２を上下方向にガイドし、鍵２が押し込まれて左右に傾くと、これに伴って薄肉部３５が捩じれることにより、鍵ガイド５が左右方向に傾くように構成されている。
【００３４】
このような鍵盤装置では、捩じれ方向に弾性変形する薄肉部３５を鍵盤シャーシ１にほぼ水平な状態で形成し、この薄肉部３５を介して鍵ガイド５を鍵盤シャーシ１に一体に連結形成したので、通常の押鍵操作範囲では鍵ガイド５によって鍵２を上下方向に円滑にガイドすることができる。また、通常の押鍵後に更に鍵２が押し込まれた状態で、鍵２を左右に傾けると、薄肉部３５が捩じれ方向に弾性変形し、これに伴って鍵ガイド５が左右方向に傾くので、鍵２を良好にローリングさせることができる。これによっても、感圧センサ４が鍵２のローリングに伴う押圧力に応じた電気信号を出力するので、この電気信号に基づいて、発音中の音に、音高や音色、音量などを変化させる各種の効果を付与し、音の表現力を高めることができる。
【００３５】
［第５実施形態］
次に、図１４を参照して、この発明の鍵盤装置の第５実施形態について説明する。この場合には、図１３に示された第４実施形態と同一構成要素に同一符号を付して説明する。
この鍵盤装置は、鍵２のローリング機構の薄肉部３６が第４実施形態と異なっている。すなわち、この薄肉部３６は、肉厚の薄い平板状をなし、鍵盤シャーシ１にほぼ垂直に形成され、この状態で捩じれる方向に弾性変形するように構成されている。また、この薄肉部３６には、図１４に示すように、アフタータッチ用の歪センサ３７が取り付けられている。この歪センサ３７は、薄肉部３６の捩じれ変形、つまり捩じれ方向および捩じれ変形量に応じた電気信号を出力するように構成されている。なお、鍵ガイド５は、第４実施形態と同様、鍵２の内面に僅かな隙間を有して挿入し、鍵２を上下方向にガイドし、鍵２が押し込まれて左右に傾くと、これに伴って薄肉部３６が捩じれ、鍵ガイド５を左右方向に傾けるように構成されている。
【００３６】
このような鍵盤装置では、捩じれる方向に弾性変形する薄肉部３６を鍵盤シャーシ１にほぼ垂直に形成し、この薄肉部３６を介して鍵ガイド５を鍵盤シャーシ１に一体に連結形成したので、第４実施形態と同様、通常の押鍵操作範囲では鍵ガイド５によって鍵２を上下方向に円滑にガイドすることができる。また、通常の押鍵後に更に鍵２が押し込まれた状態で、鍵２を左右に傾けると、薄肉部３６が捩じれ方向に弾性変形し、これに伴って鍵ガイド５も傾くので、鍵２を良好にローリングさせることができる。このときには、薄肉部３６に歪センサ３７が設けられているので、この歪センサ３７が薄肉部３６の捩じれ変形に応じて電気信号を出力するので、感圧センサ４を用いた場合に比べて、より正確に鍵２のローリング状態を検出することができる。
【００３７】
なお、上記第４、第５実施形態では、肉厚の薄い平板状の薄肉部３５または３６を鍵盤シャーシ１に形成し、この薄肉部３５または３６を介して鍵ガイド５を鍵盤シャーシ１に一体に連結形成したが、これに限らず、例えば図１５または図１６に示すように構成しても良い。
すなわち、図１５に示された第１変形例は、肉厚の薄い帯板状の薄肉部４０が上方に向けて凸となるように湾曲して鍵盤シャーシ１に形成され、この薄肉部４０の先端に鍵ガイド５が形成され、この状態で薄肉部４０が鍵ガイド５を左右に傾ける方向に弾性変形するように構成されている。
また、図１６に示された第２変形例は、肉厚の薄い帯板状の薄肉部４１が下方に向けて凸となるように湾曲して鍵盤シャーシ１に形成され、この薄肉部４１の先端に鍵ガイド５が形成され、この状態で薄肉部４１が鍵ガイド５を左右に傾ける方向に弾性変形するように構成されている。
このような第１、第２変形例のいずれにおいても、第４、第５実施形態と同様の作用効果がある。
【００３８】
また、上記第１〜第５実施形態およびその各変形例では、各鍵２の後端部に薄肉部６を形成し、この薄肉部６をヒンジ部として共通の連結部７に連結形成することにより、複数の鍵を一体に成形して鍵盤シャーシ１に組み付けた一体鍵構造の鍵盤装置について述べたが、これに限らず、例えば各鍵と鍵盤シャーシとの間にコイルばねなどのばね部材をそれぞれ設け、これらばね部材で各鍵を初期位置に付勢させるようにした鍵盤装置にも適用することができる。また、これに限らず、各鍵に対応させてハンマーアームをそれぞれ設け、これらハンマーアームにより押鍵時にアクション荷重を付与する鍵盤装置にも適用することができる。
【００４１】
【発明の効果】
以上説明したように、請求項１に記載の発明によれば、鍵ガイドと鍵との一方における上部側に設けられ、押離鍵ストロークでの可動範囲に対応する他方の凹凸のない平面上を摺動することにより、鍵を上下方向に相対的にガイドする弾性変形不可能な非弾性ガイド突起部と、その一方における下部側に設けられ、押離鍵ストロークでの可動範囲に対応する他方の凹凸のない平面上を摺動することにより、鍵を上下方向に相対的にガイドする弾性変形可能な弾性ガイド突起部とからなるローリング用機構を備えることにより、通常の押鍵操作範囲では非弾性ガイド突起部および弾性ガイド突起部によって鍵を上下方向に相対的にガイドすることができ、また通常の押鍵後に更に該鍵が押し込まれたときには、下部側の弾性ガイド突起部が弾性変形可能であるから、上部側の非弾性ガイド突起部を支点として、鍵を良好にローリングさせることができる。
【００４３】
さらに、請求項２に記載の発明によれば、鍵の内側における押離鍵ストロークでの可動範囲に対応する凹凸のない平面上を摺動する鍵ガイドを、弾性変形部によって鍵のローリング方向へ変位可能なように鍵盤シャーシに連結することにより、通常の押鍵操作範囲では鍵ガイドによって鍵をガイドすることができ、また通常の押鍵後に更に該鍵が押し込まれたときには、弾性変形部が鍵のローリング方向に弾性変形可能であるから、鍵を良好にローリングさせることができる。
【図面の簡単な説明】
【図１】この発明の鍵盤装置の第１実施形態を示した平面図。
【図２】図１のＡ−Ａ矢視における断面図。
【図３】図２のＢ−Ｂ矢視における断面図。
【図４】図３の鍵を押鍵した状態を示した断面図。
【図５】図３における鍵のストッパ片部分を拡大した側面図。
【図６】図２の白鍵に対応する鍵の１つを拡大した断面を示し、（ａ）は鍵が上限位置に配置された状態の断面図、（ｂ）は鍵が押鍵されてスイッチ部材をスイッチ動作させた通常の押鍵操作位置における断面図、（ｃ）は通常の押鍵後に更に鍵が押鍵された状態を示した断面図。
【図７】図６（ｃ）に示された鍵の押し込み状態において鍵をローリングさせた状態を示し、（ａ）は鍵を右側に傾けたローリング状態を示した断面図、（ｂ）は鍵を左側に傾けたローリング状態を示した断面図。
【図８】第１実施形態におけるローリング機構の逃がし部の変形例を示した鍵のストッパ片部分の拡大側面図。
【図９】この発明の鍵盤装置の第２実施形態におけるローリング機構を示し、（ａ）は鍵が上限位置に配置された状態の断面図、（ｂ）は鍵が押鍵されてスイッチ部材をスイッチ動作させた通常の押鍵操作位置における断面図、（ｃ）は通常の押鍵後に更に鍵が押鍵された状態を示した断面図た拡大断面図。
【図１０】図９（ｃ）に示された鍵の押し込み状態において鍵をローリングさせた状態を示し、（ａ）は鍵を左側に傾けたローリング状態を示した断面図、（ｂ）は鍵を右側に傾けたローリング状態を示した断面図。
【図１１】この発明の鍵盤装置の第３実施形態における鍵ガイドおよびそのローリング機構を示した要部の斜視図。
【図１２】第３実施形態の変形例を示した要部の斜視図。
【図１３】この発明の鍵盤装置の第４実施形態における鍵ガイドおよびそのローリング機構を示した要部の斜視図。
【図１４】この発明の鍵盤装置の第５実施形態における鍵ガイドおよびそのローリング機構を示した要部の斜視図。
【図１５】第４、第５実施形態の薄肉部の第１変形例を示した要部の斜視図。
【図１６】第４、第５実施形態の薄肉部の第２変形例を示した要部の斜視図。
【図１７】従来の鍵盤装置において鍵ガイドで鍵をガイドする構造を示した要部の拡大断面図。
【図１８】図１７の鍵ガイドと鍵との隙間を広くした状態の要部の拡大断面図。
【符号の説明】
１  鍵盤シャーシ
２  鍵
３  スイッチ部材
４  感圧センサ
５、２５  鍵ガイド
１３、１４、２０  ガイド突起部
１５  逃がし凹部
１６  切欠部
２１  弾性ガイド突起部
２７  弾性ガイド部
２８、３２  弾性変形部
３０  上部ガイド部
３１  下部ガイド部
３５、３６、４０、４１  薄肉部
３７  歪センサ
【図１】
0004224943.tif 000002
【図２】
0004224943.tif 000003
【図３】
0004224943.tif 000004
【図４】
0004224943.tif 000005
【図５】
0004224943.tif 000006
【図６】
0004224943.tif 000007
【図７】
0004224943.tif 000008
【図８】
0004224943.tif 000009
【図９】
0004224943.tif 000010
【図１０】
0004224943.tif 000011
【図１１】
0004224943.tif 000012
【図１２】
0004224943.tif 000013
【図１３】
0004224943.tif 000014
【図１４】
0004224943.tif 000015
【図１５】
0004224943.tif 000016
【図１６】
0004224943.tif 000017
【図１７】
0004224943.tif 000018
【図１８】
0004224943.tif 000019